(57)【要約】【課題】現在便座および便蓋を自動的に開閉する手段として、電動開閉ユニットに挿入された単一のヒンジピンを通して、電動開閉の動力を便座および便蓋に伝達している。この方法ではケ−スカバ−の形状、特に袖部の形状によっては、ヒンジピンが着脱出来ないという課題を有している。【解決手段】ヒンジピンを折れる構造にすることにより、電動開閉ユニットへのヒンジピンの着脱を可能にした。また、便蓋受け側ヒンジピンと電動開閉受け側ヒンジピンの相互に差込代を設けることで２つのヒンジピンの結合が強くなり、電動開閉ユニットの動力を確実に便座および便蓋へ伝達することを可能とした。【選択図】　図７
2004097372.tif 000002
【特許請求の範囲】
【請求項１】
ヒンジピンを折れる構造にすることにより、単一のヒンジピンが着脱出来ないスペ−スでも着脱可能であることを特徴とするトイレ装置。
【請求項２】
２つのヒンジピン（以下、便蓋受け側ヒンジピンおよび電動開閉受け側ヒンジピンと称する）間のかかりをそれぞれのヒンジピンに設けたことを特徴とする請求項１記載のトイレ装置。
【請求項３】
ヒンジピンの着脱時にヒンジピンを折る場合、便蓋受け側ヒンジピンが電動開閉受け側ヒンジピンに当たり、９０度に折れることを特徴とする請求項１記載のトイレ装置。
【請求項４】
２つのヒンジピンの材質は、便座・便蓋が９０度に開いてそれぞれの自重がかかっても十分に耐えうる、破壊しない材質を使用したことを特徴とする請求項１記載のトイレ装置。
【請求項５】
便蓋受け側ヒンジピンを電動開閉受け側ヒンジピンに抜き差しする際、抜け止め防止の為にピンを用いたことを特徴とする請求項１記載のトイレ装置。
【請求項６】
ヒンジピンの着脱時にヒンジピンを折る場合、電動開閉ユニットに電動開閉受け側ヒンジピンを差し込んだまま可能であることを特徴とする請求項１記載のトイレ装置。
【請求項７】
便蓋受け側ヒンジピンおよび電動開閉受け側ヒンジピンに設けたかかりの形状は、それぞれのヒンジピンの軸心に対して面対称としたことを特徴とする請求項２記載のトイレ装置。
【請求項８】
便蓋受け側ヒンジピンおよび電動開閉受け側ヒンジピンに設けた、抜け止め防止のためのピン穴の形状を瓢箪形としたことを特徴とする請求項１記載のトイレ装置。
【発明の詳細な説明】
【０００１】
【発明の属する技術分野】
本発明は、電動開閉を行うトイレ装置に関する。
【０００２】
【従来の技術】
従来より、便座や便蓋が自動で開閉するトイレ装置があり、その開閉動作に用いられる便座や便蓋要のヒンジピンについても、支持方法についての工夫がなされていた（例えば、特許文献１参照）。
【０００３】
図１に、従来のトイレ装置１を示す。
ケ−スカバ−２内部に電動開閉ユニット５が設けられ、電動開閉ユニット５には便蓋を駆動する便蓋用ヒンジピン６および便座を駆動する便座用ヒンジピン９が取り付けられている。便蓋用ヒンジピン６には便蓋４、便座用ヒンジピン９には便座３が開閉可能に取り付けられている。電動開閉ユニット５が取り付けられたケ−スプレ−ト（省略）にケ−スカバ−２を嵌め込み、便蓋用ヒンジピン６および便座用ヒンジピン９を電動開閉ユニット５に挿入する。
【０００４】
【特許文献１】
特開平６−１０５７６０号
【０００５】
【発明が解決しようとする課題】
トイレ装置１においては、便蓋用ヒンジピン６および便座用ヒンジピン９を電動開閉ユニット５に嵌め込む際、ヒンジピンを嵌め込むスラスト方向には、障害となるもの（例えば、ケ−スカバ−の袖部分）がないため容易にヒンジピンの抜き差しが可能となっていた。
【０００６】
しかしながら、デザイン上あるいは機能上の面からケ−スカバ−の袖部分が必要である図２の様なケ−スカバ−の場合、従来のヒンジピンの構造ではヒンジピンの着脱が不可能であるという課題を有している。
【０００７】
本発明は、従来の単一のヒンジピンでは電動開閉ユニットへの着脱が不可能である場合、折れる構造およびねじ込む構造にすることによって電動開閉ユニットへの着脱を可能に出来るヒンジピンの提案を目的とする。
【０００８】
【課題を解決するための手段】
上記技術的課題を解決するために本発明の請求項１において講じた技術的手段（以下第１の技術的手段と称する。）は、便蓋用ヒンジピンを２つに折れる構造にしたことをを特徴とするトイレ装置である。
上記第１の技術的手段による効果は、以下のようである。即ち、ケ−スカバ−のヒンジ回りの形状に関係なく電動開閉ユニットへのヒンジピンの着脱が可能となるといった効果を有する。
【０００９】
記技術的課題を解決するために本発明の請求項２において講じた技術的手段（以下第２の技術的手段と称する。）は、便蓋受け側ヒンジピンに電動開閉受け側ヒンジピン突起部の差込代を、電動開閉受け側ヒンジピンに便蓋受け側ヒンジピン突起部の差込代を相互に設けたことを特徴とするトイレ装置である。
上記第２の技術的手段による効果は、以下のようである。即ち、便蓋受け側ヒンジピンと電動開閉受け側ヒンジピンの相互に差込代を設けることで２つのヒンジピンの結合が強くなり、電動開閉ユニットの動力を確実に便座および便蓋へ伝達することが可能であるといった効果を有する。
【００１０】
上記技術的課題を解決するために本発明の請求項３において講じた技術的手段（以下第３の技術的手段と称する。）は、ヒンジピンを電動開閉ユニットへ着脱時に折り曲げた際、約９０度折り曲げたときに便蓋受け側ヒンジピンの切り込み部分が電動開閉受け側ヒンジピンの突起部側面に当たり、それ以上折り曲げることが出来ないことを特徴とするトイレ装置である。
上記第３の技術的手段による効果は、以下のようである。即ち、　便蓋受け側ヒンジピンと電動開閉受け側ヒンジピンとの角度が９０度であることより、差込動作に必要とするスペ−スを最少とすることが出来る差込む際に、ヒンジピンのアプロ−チに自由度持たせることが可能であるといった効果を有する。
【００１１】
上記技術的課題を解決するために本発明の請求項４において講じた技術的手段（以下第４の技術的手段と称する。）は、電動開閉ユニットの動力を確実に伝達出来、繰り返しの屈曲や回転においても極力変形が生じない材質（例えば、ＳＵＳ・黄銅など）をヒンジピンに使用し、中実構造としたことを特徴とするトイレ装置である。
上記第４の技術的手段による効果は、以下のようである。即ち、ヒンジピンの強度を確保出来ると共に、このヒンジピンを使用する製品への安全性を保証することが出来るといった効果を有する。
【００１２】
上記技術的課題を解決するために本発明の請求項５において講じた技術的手段（以下第５の技術的手段と称する。）は、便蓋受け側ヒンジピンと電動開閉受け側ヒンジピンのそれぞれに抜け止め防止の為のピン用の穴を設け、抜け止め用ピン（例えば、波形スプリングピン・スパイロ−ルピンなど）を差し込んだことを特徴とするトイレ装置である。
上記第５の技術的手段による効果は、以下のようである。即ち、便蓋受け側ヒンジピンと電動開閉受け側ヒンジピンとを一つの部品として扱え、また便蓋受け側ヒンジピンを電動開閉受け側ヒンジピンに対して滑らかに回動させることが出来るといった効果を有する。
【００１３】
上記技術的課題を解決するために本発明の請求項６において講じた技術的手段（以下第６の技術的手段と称する。）は、電動開閉受け側ヒンジピンを電動開閉ユニットに差し込んだとき、抜け止め用ピンがヒンジピン塞ぎ（仮称）より外側にあり、かつ電動開閉受け側ヒンジピンを電動開閉ユニットに差し込まれた状態で便蓋受け側ヒンジピンが回動可能である構造を設けたことを特徴とするトイレ装置である。
上記第６の技術的手段による効果は、以下のようである。即ち、ヒンジピンの抜き差しの動作が他のアセンブル部品（例えばヒンジピン塞ぎ）を外したりせずにスム−ズに出来るという効果を有する。
【００１４】
上記技術的課題を解決するために本発明の請求項７において講じた技術的手段（以下第７の技術的手段と称する。）は、便蓋受け側ヒンジピンと電動開閉受け側ヒンジピンとが互いに勘合する形状をそれぞれのヒンジピンの軸心に対して面対称としたことを特徴とするトイレ装置である。
上記第７の技術的手段による効果は、以下のようである。即ち、ヒンジピンに便座および便蓋の自重或いはその他の外力が加わった場合軸心に対し面対称である事により、応力のかかり方が容易に推測出来、強度的にも安全性が確保できるという効果を有する。
【００１５】
上記技術的課題を解決するために本発明の請求項８において講じた技術的手段（以下第８の技術的手段と称する。）は、便蓋受け側ヒンジピンおよび電動開閉受け側ヒンジピンに設けた抜け止め防止の為のピン穴の形状を瓢箪形にし、瓢箪形状の中央部の幅を抜け止め防止用ピンの径より僅かに小さくしたことを特徴とするトイレ装置である。
上記第８の技術的手段による効果は、以下のようである。即ち、便蓋受け側ヒンジピンを電動開閉受け側ヒンジピン勘合部から抜き差しする際、瓢箪形状の中央部の幅が抜け止め防止用ピンの径より僅かに小さいことで引っかかりが出来、便蓋受け側ヒンジピンと電動開閉受け側ヒンジピンとの結合がより強固になるという効果を有する。
【００１６】
【発明の実施の形態】
続いて、添付した図面を参照しつつ、本発明を具体化した実施の形態につき説明し、本発明の理解に供する。
【００１７】
ここに、図３は本発明に係るトイレ装置１の一部拡大斜視図、図４は同一部断面図の説明図である。図３、４に示すように、本発明に係るトイレ装置１は、ケ−スカバ−２、便座３および便蓋４とからなり（便座３はヒンジ部分のみ図示）、ケ−スカバ−２の内部には便座３および便蓋４の開閉駆動を行う電動開閉ユニット５が設けられている（図３、４は便蓋駆動側のみ図示。以下、便蓋駆動側でのみの説明）。
電動開閉ユニット５には、動力を便蓋４へ伝達する為にヒンジピン６（６−１、６−２））が挿入されている。
またケ−スカバ−２とヒンジピン６との間にはヒンジピン６のぐらつき（ブレ）防止の為に、ヒンジピン塞ぎ７が設けられている。
【００１８】
次にヒンジピン６をセットする際の動作を説明する（図５、６参照）。
電動開閉ユニット５が取り付けられたケ−スプレ−ト（省略）にケ−スカバ−２を嵌め込み、ヒンジピン塞ぎ７を嵌め込む。便蓋受け側ヒンジピン６−１と電動開閉受け側ヒンジピン６−２を相互に引っ張り、それぞれの差込代が外れた状態にし、便蓋受け側ヒンジピン６−１を折れ曲げさせる。この時、便蓋受け側ヒンジピン６−１と電動開閉受け側ヒンジピン６−２に設けた抜け止め防止用ピン８用のピン穴の形状が瓢箪形状になっており、かつ瓢箪形状の中央部の幅が抜け止め防止用のピン８の径より僅かに小さいため、便蓋受け側ヒンジピン６−１と電動開閉受け側ヒンジピン６−２はある程度の力を加えて引っ張らなければ抜けない構造としている。
【００１９】
また、折れ曲げた便蓋受け側ヒンジピン６−１は、電動開閉受け側ヒンジピン６−２に９０度で当たる用な構造としている。ヒンジピン６が折れた状態で、ケ−スカバ−２内部にある電動開閉ユニット５へ差し込む。ヒンジピン６を電動開閉ユニット５へ差し込んだ後、便蓋受け側ヒンジピン６−１を９０度曲げ元の状態に戻した後、便蓋受け側ヒンジピン６−１を電動開閉受け側ヒンジピン６−２に対し押し込む。
【００２０】
以上を本発明の第１の実施の形態と称する。
【００２１】
次に図７に示す本発明の第２の実施の形態に係るトイレ装置について説明する。第１の実施の形態に係るトイレ装置と同一の構成要素の番号は省略している。便蓋受け側ヒンジピン１０−１および電動開閉受け側ヒンジピン１０−２にはそれぞれオス、メスのねじが切られており、便蓋４の開閉時における便蓋受け側ヒンジピン１０−１のゆるみ防止の為、便蓋受け側ヒンジピン１０−１および電動開閉受け側ヒンジピン１０−２のねじ切り部分に、そのねじ切り方向とは垂直な方向にゆるみ防止用ねじ１１をねじ込む為のねじを切っておく。そこへゆるみ防止用ねじ１１をねじ込む。また、ゆるみ防止用ねじ１１
の座面を受ける為、電動開閉受け側ヒンジピン１０−２には一部平滑面を設けておく。
【００２２】
第１、第２の実施の形態においては、電動開閉受け側ヒンジピン６−２の電動開閉ユニット５への差込形状が、従来のＤカット形状（図５参照）になっているが、図８の様なスプライン形状にしてもよい。
【００２３】
【発明の効果】
電動開閉を有するトイレ装置において、ケ−スカバ−の形状（袖部の有無）に関わらずヒンジピンをセットすることが可能となる。
【図面の簡単な説明】
【図１】従来の実施の形態に係るトイレ装置の全体斜視図である。
【図２】本発明の実施形態１に係るトイレ装置のケ−スカバ−全体斜視図である。
【図３】本発明の実施の形態１に係るトイレ装置の一部拡大斜視図である。
【図４】ヒンジ中心での同一部断面図である。
【図５】本発明の実施形態１に係るトイレ装置のヒンジピン構成図である。
【図６】本発明の実施形態１に係るトイレ装置の断面図である。
【図７】本発明の実施形態２に係るトイレ装置のヒンジピン構成図および断面図である。
【図８】本発明の実施形態１、２に係るトイレ装置のヒンジピンおよび電動開閉ユニットの一部拡大斜視図である。
【符号の説明】
１…トイレ装置１、２…ケ−スカバ−、３…便座、４…便蓋、
５…電動開閉ユニット、６…便蓋用ヒンジピン、
６−１…便蓋受け側ヒンジピン、６−２…電動開閉受け側ヒンジピン、
７…ヒンジピン塞ぎ、８…抜け止め防止用ピン、
９…便座用ヒンジピン、
１０−１…便蓋受け側ヒンジピン（第２の実施形態）、
１０−２…電動開閉受け側ヒンジピン（第２の実施形態）、
１１…ゆるみ防止用ねじ
【図１】
2004097372.tif 000003
【図２】
2004097372.tif 000004
【図３】
2004097372.tif 000005
【図４】
2004097372.tif 000006
【図５】
2004097372.tif 000007
【図６】
2004097372.tif 000008
【図７】
2004097372.tif 000009
【図８】
2004097372.tif 000010